(57)【要約】【課題】プレイリストおよびプレイリスト群を使用して様々な印象のコンテンツに直感的かつ容易に切り替えること。【解決手段】本装置は、少なくとも、デジタルコンテンツの再生順序を設定したプレイリストを複数格納するプレイリスト格納部６２と、プレイリスト格納部６２から１つ以上のプレイリストを選択し、それらをグループ化したプレイリスト群とすると共に、プレイリスト群に対応する静止画像または動画像をプレイリスト群に設定するプレイリスト群作成部４３と、プレイリスト群を複数格納するプレイリスト群格納部６３とを有する。これにより、再生中のコンテンツの印象を大きく印象を変更したい場合はプレイリスト群を変更し、小さく印象を変更したい場合はプレイリストを変更すれば、ユーザは視聴時の気分に応じて再生コンテンツの印象を容易に切り替えることができる。【選択図】図１
2009238355.tif 000002
【特許請求の範囲】
【請求項１】
デジタルコンテンツの再生順序を指定したプレイリストを複数格納するプレイリスト格納部と、
前記プレイリストをグループ化し、イメージファイルが設定されたプレイリスト群を複数格納するプレイリスト群格納部と、
前記プレイリスト群の変更指示信号が入力すると、前記プレイリスト群格納部から現在設定されているプレイリスト群以外のプレイリスト群に変更するプレイリスト群変更部と、
前記プレイリストの変更指示信号が入力すると、前記プレイリスト格納部から現在設定されているプレイリストと同じプレイリスト群の中で、現在設定されているプレイリスト以外のプレイリストに変更するプレイリスト変更部と、
前記プレイリスト群変更部および前記プレイリスト変更部で変更された前記プレイリスト群および前記プレイリストに従って、再生すべき前記デジタルコンテンツを選出する再生コンテンツ選出部と、
を有するコンテンツ再生装置。
【請求項２】
請求項１記載のコンテンツ再生装置において、さらに、
前記デジタルコンテンツを一意に識別するためのコンテンツＩＤと、前記デジタルコンテンツの副次的な情報を表すメタデータとを対応付けて格納したメタデータ格納部と、
静止画像または動画像を含むイメージファイルと、前記イメージファイルを一意に識別するためのイメージＩＤとを対応させて格納したイメージファイル格納部と、
ユーザによってプレイリスト属性として前記メタデータが選択された場合、選択された前記メタデータに対応する前記コンテンツＩＤを前記メタデータ格納部から取得し、取得した前記コンテンツＩＤにより前記プレイリストを作成し、作成した前記プレイリストにプレイリストＩＤを付加し、選択された前記メタデータに対応づけて前記プレイリスト格納部に格納するプレイリスト作成部と、
ユーザによってプレイリスト属性として前記メタデータが選択された場合、選択された前記メタデータに対応する前記プレイリストを前記プレイリスト格納部から選択し、選択した前記プレイリストの前記プレイリストＩＤにより前記プレイリスト群を作成し、前記プレイリスト群格納部に格納するプレイリスト群作成部と、
を有するコンテンツ再生装置。
【請求項３】
請求項２記載のコンテンツ再生装置において、さらに、
前記イメージＩＤと、対応する前記イメージファイルの書誌情報であるイメージワードとを格納したイメージワード格納部と、
ユーザによってプレイリスト属性として選択された前記メタデータと、前記イメージワード格納部に格納された前記各イメージワードとの一致度を算出し、算出した一致度が高いイメージワードのイメージＩＤを選択し、選択した前記イメージＩＤに対応する前記イメージファイルを前記イメージファイル格納部から選出するイメージファイル選出部と、を有し、
前記プレイリスト群作成部は、
作成した前記プレイリスト群に、前記イメージファイル選出部により選出された前記イメージファイルを設定して前記プレイリスト群格納部に格納する、コンテンツ再生装置。
【請求項４】
請求項１記載のコンテンツ再生装置において、さらに、
前記デジタルコンテンツを一意に識別するためのコンテンツＩＤと、前記デジタルコンテンツの副次的な情報を表すメタデータとを対応付けて格納したメタデータ格納部と、
静止画像または動画像を含むイメージファイルと、前記イメージファイルを一意に識別するためのイメージＩＤとを対応させて格納したイメージファイル格納部と、
前記イメージＩＤと、対応する前記イメージファイルの書誌情報であるイメージワードとを格納したイメージワード格納部と、
ユーザによって設定された前記イメージファイルの前記イメージＩＤを基に前記イメージワード格納部から対応する前記イメージワードを取得し、取得した前記イメージワードと一致するメタデータを前記メタデータ格納部から読み出しプレイリスト属性として選出するプレイリスト属性選出部と、
前記プレイリスト属性選出部によって設定された前記プレイリスト属性である前記メタデータに対応する前記コンテンツＩＤを前記メタデータ格納部から取得し、取得した前記コンテンツＩＤにより前記プレイリストを作成し、作成した前記プレイリストにプレイリストＩＤを付加し、選択された前記メタデータに対応づけて前記プレイリスト格納部に格納するプレイリスト作成部と、
前記プレイリスト属性選出部によって設定された前記プレイリスト属性に対応する前記プレイリストを前記プレイリスト格納部から選択し、選択した前記プレイリストの前記プレイリストＩＤにより前記プレイリスト群を作成し、作成した前記プレイリスト群に、ユーザによって設定された前記イメージファイルを設定して前記プレイリスト群格納部に格納するプレイリスト群作成部と、
を有するコンテンツ再生装置。
【請求項５】
請求項２記載のコンテンツ再生装置において、さらに、
前記イメージＩＤと、対応する前記イメージファイルの書誌情報であるイメージワードとを格納したイメージワード格納部と、
前記メタデータが有する複数の概念と、各概念の類語とを格納するシソーラス辞書格納部と、
ユーザによってプレイリスト属性として選択された前記メタデータの類語を、前記シソーラス辞書格納部から類語集合として取得すると共に、前記取得した類語集合と前記イメージワード格納部に格納された各イメージワードとの一致度を算出し、一致度が高いイメージワードに対応する前記イメージＩＤを選択し、選択したイメージＩＤに対応する前記イメージファイルを前記イメージファイルから選出するイメージファイル選出部と、を有し、
前記プレイリスト群作成部は、
作成した前記プレイリスト群に、前記イメージファイル選出部により選出された前記イメージファイルを設定して前記プレイリスト群格納部に格納する、コンテンツ再生装置。
【請求項６】
請求項１記載のコンテンツ再生装置において、さらに、
前記デジタルコンテンツを一意に識別するためのコンテンツＩＤと、前記デジタルコンテンツの副次的な情報を表すメタデータとを対応付けて格納したメタデータ格納部と、
静止画像または動画像を含むイメージファイルと、前記イメージファイルを一意に識別するためのイメージＩＤとを対応させて格納したイメージファイル格納部と、
前記イメージＩＤと、対応する前記イメージファイルの書誌情報であるイメージワードとを格納したイメージワード格納部と、
前記メタデータが有する複数の概念と、各概念の類語とを格納するシソーラス辞書格納部と、
ユーザによって設定された前記イメージファイルの前記イメージＩＤを基に前記イメージワード格納部から対応する前記イメージワードを取得し、取得した前記イメージワードと一致するメタデータを前記メタデータ格納部から読み出し、前記メタデータの類語を前記シソーラス辞書格納部から取得してプレイリスト属性として選出するプレイリスト属性選出部と、
前記プレイリスト属性選出部によって設定された前記プレイリスト属性である前記メタデータの類語に対応する前記コンテンツＩＤを前記メタデータ格納部から取得し、取得した前記コンテンツＩＤにより前記プレイリストを作成し、作成した前記プレイリストにプレイリストＩＤを付加し、選択された前記メタデータに対応づけて前記プレイリスト格納部に格納するプレイリスト作成部と、
前記プレイリスト属性選出部によって設定された前記プレイリスト属性に対応する前記プレイリストを前記プレイリスト格納部から選択し、選択した前記プレイリストの前記プレイリストＩＤにより前記プレイリスト群を作成し、作成した前記プレイリスト群に、ユーザによって設定された前記イメージファイルを設定して前記プレイリスト群格納部に格納するプレイリスト群作成部と、
を有するコンテンツ再生装置。
【請求項７】
デジタルコンテンツの再生順序を指定したプレイリストをグループ化し、イメージファイルが設定されたプレイリスト群の変更指示信号が入力すると、現在設定されているプレイリスト群以外のプレイリスト群に変更するステップと、
前記プレイリストの変更指示信号が入力すると、現在設定されているプレイリストと同じプレイリスト群の中で、現在設定されているプレイリスト以外のプレイリストに変更するステップと、
変更された前記プレイリスト群および前記プレイリストに従って、再生すべき前記デジタルコンテンツを選出するステップと、
を有するコンテンツ再生方法。
【請求項８】
デジタルコンテンツの再生順序を指定したプレイリストをグループ化し、イメージファイルが設定されたプレイリスト群の変更指示信号が入力すると、現在設定されているプレイリスト群以外のプレイリスト群に変更するステップと、
前記プレイリストの変更指示信号が入力すると、現在設定されているプレイリストと同じプレイリスト群の中で、現在設定されているプレイリスト以外のプレイリストに変更するステップと、
変更された前記プレイリスト群および前記プレイリストに従って、再生すべき前記デジタルコンテンツを選出するステップと、
をコンピュータに実行させるコンピュータプログラム。
【発明の詳細な説明】
【技術分野】
【０００１】
本発明は、デジタルコンテンツの再生順序を指定したプレイリストと、そのプレイリストをグループ化したプレイリスト群とを使用してデジタルコンテンツを再生するコンテンツ再生装置、コンテンツ再生方法およびコンピュータプログラムに関する。
【背景技術】
【０００２】
近年、画像、音楽、映像等のコンテンツをネットワークやＣＤ、ＤＶＤ等の記録媒体を介しダウンロードしてＨＤＤやメモリ等に格納し再生するコンテンツ再生装置が広く普及している。その際、例えば、一定の楽曲を集めたプレイリストを作成し、プレイリストを参照してコンテンツを再生したり（例えば、特許文献１，２参照）、複数のプレイリストをまとめたプレイリスト群のうちから所望のプレイリストを選択するものがある（例えば、特許文献３〜５参照）。
【特許文献１】特開２００３−１５６６６号公報
【特許文献２】特開２００４−１１７６３２号公報
【特許文献３】特表２００５−５２６３４０号公報
【特許文献４】特開２００６−２２７７０９号公報
【特許文献５】特開２００６−９９８９８号公報
【発明の開示】
【発明が解決しようとする課題】
【０００３】
ところで、一般に、複数の楽曲を連続的に聴く場合、同じような印象の楽曲を連続的に聴きたい場合と、様々な印象の楽曲を混ぜて聴きたい場合がある。
【０００４】
しかし、上述の特許文献１，２の技術では、楽曲等のコンテンツの印象の遷移をプレイリスト作成時にあらかじめ決定しておくため、プレイリスト作成時に決定した印象の遷移と異なる遷移で再生することは困難であった。
【０００５】
また、上述の特許文献３〜５の技術では、プレイリスト群の作成やＧＵＩ等について具体的に開示がないので、プレイリストおよびプレイリスト群を使用した様々な印象のコンテンツに直感的かつ容易に切り替えることは考慮されていなかった。
【０００６】
そこで、本発明は、プレイリストおよびプレイリスト群を使用して様々な印象のコンテンツに直感的かつ容易に切り替えることができるコンテンツ再生装置、コンテンツ再生方法およびコンピュータプログラムを提供することを目的とする。
【課題を解決するための手段】
【０００７】
上記目的を達成するため、請求項１のコンテンツ再生装置は、デジタルコンテンツの再生順序を指定したプレイリストを複数格納するプレイリスト格納部と、前記プレイリストをグループ化し、イメージファイルが設定されたプレイリスト群を複数格納するプレイリスト群格納部と、前記プレイリスト群の変更指示信号が入力すると、前記プレイリスト群格納部から現在設定されているプレイリスト群以外のプレイリスト群に変更するプレイリスト群変更部と、前記プレイリストの変更指示信号が入力すると、前記プレイリスト格納部から現在設定されているプレイリストと同じプレイリスト群の中で、現在設定されているプレイリスト以外のプレイリストに変更するプレイリスト変更部と、前記プレイリスト群変更部および前記プレイリスト変更部で変更された前記プレイリスト群および前記プレイリストに従って、再生すべき前記デジタルコンテンツを選出する再生コンテンツ選出部と、を有する。
【０００８】
また、請求項２の発明は、請求項１記載のコンテンツ再生装置において、さらに、前記デジタルコンテンツを一意に識別するためのコンテンツＩＤと、前記デジタルコンテンツの副次的な情報を表すメタデータとを対応付けて格納したメタデータ格納部と、静止画像または動画像を含むイメージファイルと、前記イメージファイルを一意に識別するためのイメージＩＤとを対応させて格納したイメージファイル格納部と、ユーザによってプレイリスト属性として前記メタデータが選択された場合、選択された前記メタデータに対応する前記コンテンツＩＤを前記メタデータ格納部から取得し、取得した前記コンテンツＩＤにより前記プレイリストを作成し、作成した前記プレイリストにプレイリストＩＤを付加し、選択された前記メタデータに対応づけて前記プレイリスト格納部に格納するプレイリスト作成部と、ユーザによってプレイリスト属性として前記メタデータが選択された場合、選択された前記メタデータに対応する前記プレイリストを前記プレイリスト格納部から選択し、選択した前記プレイリストの前記プレイリストＩＤにより前記プレイリスト群を作成し、前記プレイリスト群格納部に格納するプレイリスト群作成部と、を有するようにしても良い。
【０００９】
また、請求項３の発明は、請求項２記載のコンテンツ再生装置において、さらに、前記イメージＩＤと、対応する前記イメージファイルの書誌情報であるイメージワードとを格納したイメージワード格納部と、ユーザによってプレイリスト属性として選択された前記メタデータと、前記イメージワード格納部に格納された前記各イメージワードとの一致度を算出し、算出した一致度が高いイメージワードのイメージＩＤを選択し、選択した前記イメージＩＤに対応する前記イメージファイルを前記イメージファイル格納部から選出するイメージファイル選出部と、を有し、前記プレイリスト群作成部は、作成した前記プレイリスト群に、前記イメージファイル選出部により選出された前記イメージファイルを設定して前記プレイリスト群格納部に格納する、ようにしても良い。
【００１０】
また、請求項４の発明は、請求項１記載のコンテンツ再生装置において、さらに、前記デジタルコンテンツを一意に識別するためのコンテンツＩＤと、前記デジタルコンテンツの副次的な情報を表すメタデータとを対応付けて格納したメタデータ格納部と、静止画像または動画像を含むイメージファイルと、前記イメージファイルを一意に識別するためのイメージＩＤとを対応させて格納したイメージファイル格納部と、前記イメージＩＤと、対応する前記イメージファイルの書誌情報であるイメージワードとを格納したイメージワード格納部と、ユーザによって設定された前記イメージファイルの前記イメージＩＤを基に前記イメージワード格納部から対応する前記イメージワードを取得し、取得した前記イメージワードと一致するメタデータを前記メタデータ格納部から読み出しプレイリスト属性として選出するプレイリスト属性選出部と、前記プレイリスト属性選出部によって設定された前記プレイリスト属性である前記メタデータに対応する前記コンテンツＩＤを前記メタデータ格納部から取得し、取得した前記コンテンツＩＤにより前記プレイリストを作成し、作成した前記プレイリストにプレイリストＩＤを付加し、選択された前記メタデータに対応づけて前記プレイリスト格納部に格納するプレイリスト作成部と、前記プレイリスト属性選出部によって設定された前記プレイリスト属性に対応する前記プレイリストを前記プレイリスト格納部から選択し、選択した前記プレイリストの前記プレイリストＩＤにより前記プレイリスト群を作成し、作成した前記プレイリスト群に、ユーザによって設定された前記イメージファイルを設定して前記プレイリスト群格納部に格納するプレイリスト群作成部と、を有するようにしても良い。
【００１１】
また、請求項５の発明は、請求項２記載のコンテンツ再生装置において、さらに、前記イメージＩＤと、対応する前記イメージファイルの書誌情報であるイメージワードとを格納したイメージワード格納部と、前記メタデータが有する複数の概念と、各概念の類語とを格納するシソーラス辞書格納部と、ユーザによってプレイリスト属性として選択された前記メタデータの類語を、前記シソーラス辞書格納部から類語集合として取得すると共に、前記取得した類語集合と前記イメージワード格納部に格納された各イメージワードとの一致度を算出し、一致度が高いイメージワードに対応する前記イメージＩＤを選択し、選択したイメージＩＤに対応する前記イメージファイルを前記イメージファイルから選出するイメージファイル選出部と、を有し、前記プレイリスト群作成部は、作成した前記プレイリスト群に、前記イメージファイル選出部により選出された前記イメージファイルを設定して前記プレイリスト群格納部に格納する、ようにしても良い。
【００１２】
また、請求項６の発明は、請求項１記載のコンテンツ再生装置において、さらに、前記デジタルコンテンツを一意に識別するためのコンテンツＩＤと、前記デジタルコンテンツの副次的な情報を表すメタデータとを対応付けて格納したメタデータ格納部と、静止画像または動画像を含むイメージファイルと、前記イメージファイルを一意に識別するためのイメージＩＤとを対応させて格納したイメージファイル格納部と、前記イメージＩＤと、対応する前記イメージファイルの書誌情報であるイメージワードとを格納したイメージワード格納部と、前記メタデータが有する複数の概念と、各概念の類語とを格納するシソーラス辞書格納部と、ユーザによって設定された前記イメージファイルの前記イメージＩＤを基に前記イメージワード格納部から対応する前記イメージワードを取得し、取得した前記イメージワードと一致するメタデータを前記メタデータ格納部から読み出し、前記メタデータの類語を前記シソーラス辞書格納部から取得してプレイリスト属性として選出するプレイリスト属性選出部と、前記プレイリスト属性選出部によって設定された前記プレイリスト属性である前記メタデータの類語に対応する前記コンテンツＩＤを前記メタデータ格納部から取得し、取得した前記コンテンツＩＤにより前記プレイリストを作成し、作成した前記プレイリストにプレイリストＩＤを付加し、選択された前記メタデータに対応づけて前記プレイリスト格納部に格納するプレイリスト作成部と、前記プレイリスト属性選出部によって設定された前記プレイリスト属性に対応する前記プレイリストを前記プレイリスト格納部から選択し、選択した前記プレイリストの前記プレイリストＩＤにより前記プレイリスト群を作成し、作成した前記プレイリスト群に、ユーザによって設定された前記イメージファイルを設定して前記プレイリスト群格納部に格納するプレイリスト群作成部と、を有するようにしても良い。
【００１３】
また、請求項７のコンテンツ再生方法は、デジタルコンテンツの再生順序を指定したプレイリストをグループ化し、イメージファイルが設定されたプレイリスト群の変更指示信号が入力すると、現在設定されているカレントプレイリスト群以外のプレイリスト群に変更するステップと、前記プレイリストの変更指示信号が入力すると、現在設定されているプレイリストと同じプレイリスト群の中で、現在設定されているプレイリスト以外のプレイリストに変更するステップと、変更された前記プレイリスト群および前記プレイリストに従って、再生すべき前記デジタルコンテンツを選出するステップと、を有する。なお、このコンテンツ再生方法にも、上述のコンテンツ再生装置のバリエーションが適用される。
【００１４】
また、請求項８のコンピュータプログラムは、デジタルコンテンツの再生順序を指定したプレイリストをグループ化し、イメージファイルが設定されたプレイリスト群の変更指示信号が入力すると、現在設定されているプレイリスト群以外のプレイリスト群に変更するステップと、前記プレイリストの変更指示信号が入力すると、現在設定されているカレントプレイリストと同じプレイリスト群の中で、現在設定されているプレイリスト以外のプレイリストに変更するステップと、変更された前記プレイリスト群および前記プレイリストに従って、再生すべき前記デジタルコンテンツを選出するステップと、をコンピュータに実行させるものである。なお、このコンピュータプログラムにも、上述のコンテンツ再生装置のバリエーションが適用される。
【発明の効果】
【００１５】
本発明によれば、複数のプレイリストをまとめてグループ化したものであるプレイリスト群を用意し、再生中のコンテンツの印象を、大きく印象を変更したい場合はプレイリスト群を、小さく印象を変更したい場合はプレイリスト群内のプレイリストを、という２つの変更方法を提供することによって、ユーザは、プレイリスト群やプレイリストを切り替えることによって再生コンテンツの印象を直感的かつ容易に切り替えることができる。
【００１６】
特に、本発明では、プレイリスト群に静止画や動画像等のイメージファイルが設定されているので、プレイリスト群が全体的にどのような印象であるか、どのようなプレイリストを有するのか等を、直感的かつ容易に理解してプレイリスト群を切り替えることができる。
【発明を実施するための最良の形態】
【００１７】
以下、本発明を実施するための最良の形態について、図面を参照して説明する。
実施形態１.
図１は、本発明の実施形態１に係るコンテンツ再生装置１の構成例を示す。
【００１８】
図１において、本実施形態によるコンテンツ再生装置１は、入力装置１０と、表示装置２０と、音響装置３０と、プレイリスト作成制御部４０と、プレイリスト再生制御部５０と、データ格納部６０とを有する。
【００１９】
入力装置１０は、マウスやキーボードなどの入力デバイス、表示装置２０は、液晶ディスプレイ等の表示デバイス、音響装置３０は、スピーカーやアンプなどの音響デバイスである。これらは、本装置に設けられていても、本装置に外付けされていても良い。
【００２０】
プレイリスト作成制御部４０は、不図示のＣＰＵやメモリを備えており、メモリ上に展開されたプレイリスト作成用プログラムをＣＰＵが実行することにより、プレイリストおよびプレイリスト群の作成等を制御するもので、入力補助部４１と、プレイリスト作成部４２と、プレイリスト群作成部４３とを有する。
【００２１】
図２は、プレイリスト作成制御部４０における動作を示すフローチャートである。
【００２２】
まず、入力補助部４１は、ユーザによる、プレイリスト群の設定情報の入力を受け付ける（Ｓ２００）。ユーザは、入力装置１０を介して入力を行う。
【００２３】
次に、Ｓ２００で設定されたプレイリスト群の設定情報を基に、プレイリスト作成部４２は、プレイリストを作成する（Ｓ２１０）。作成されたプレイリストの情報は、プレイリスト格納部６２に格納される。
【００２４】
次に、プレイリスト群作成部４３は、Ｓ２００で入力されたプレイリスト群の設定情報と、Ｓ２１０で作成されたプレイリストの情報を基に、プレイリスト群を作成する（Ｓ２２０）。作成されたプレイリスト群は、プレイリスト群格納部６３に格納される。以上が、プレイリスト作成制御部４０における動作概要である。
【００２５】
続いて、図１を参照してデータ格納部６０の説明を行う。
【００２６】
データ格納部６０は、ハードディスクやフラッシュメモリのような高速アクセスが可能な大容量記録媒体である。データ格納部６０は、さらに、イメージファイル格納部６１と、プレイリスト格納部６２と、プレイリスト群格納部６３と、コンテンツ格納部６４と、メタデータ格納部６５とを有する。
【００２７】
イメージファイル格納部６１は、イメージファイルを格納する。イメージファイルとは、プレイリスト群全体の雰囲気を表す静止画像や動画等の、デジタル映像ファイルである。イメージファイル格納部６１は、イメージファイルと、イメージファイルを一意に識別するためのイメージＩＤとを格納する。
【００２８】
図３に、イメージファイル格納部６１に格納されるイメージＩＤとイメージファイルの例を示す。図３では、イメージＩＤが”Ｉｍａｇｅ０１．ｊｐｇ”のイメージファイルと、イメージＩＤが”Ｉｍａｇｅ０２.ｊｐｇ”の２つのファイルが格納された状態を示している。
【００２９】
プレイリスト格納部６２は、プレイリストＩＤと、プレイリストタイトルと、プレイリストに所属するコンテンツＩＤと、それぞれのコンテンツＩＤに対応するコンテンツ順位とからなるプレイリストを格納する。プレイリストＩＤとは、プレイリストを一意に識別するための識別子である。プレイリストタイトルとは、そのプレイリストを書誌的に表すタイトルである。コンテンツＩＤとは、コンテンツ格納部６４に格納されたコンテンツを一意に識別するための識別子である。コンテンツ順位とは、プレイリストに属するコンテンツＩＤの順番を表しており、具体的には、プレイリスト内の再生順に用いられる。
【００３０】
図４は、プレイリスト格納部６２に格納されたプレイリストの一例を示す図である。
【００３１】
図４の例では、プレイリストＩＤがＰ１のプレイリストには、プレイリストタイトルとして”穏やか”が、コンテンツＩＤとしてＣ１、Ｃ２、Ｃ３、Ｃ４、Ｃ５の５つが格納され、それぞれのコンテンツＩＤには、１〜５の順位が割り当てられた様子を示している。
【００３２】
プレイリスト群格納部６３は、プレイリスト群ＩＤと、イメージファイルと、１つ以上のプレイリストＩＤと、プレイリストＩＤそれぞれに対応するプレイリスト順位とからなるプレイリスト群を格納する。プレイリスト群ＩＤとは、プレイリスト群を一意に識別するための識別子である。プレイリスト順位とは、プレイリスト群に属するプレイリスト間の順位を示す数値である。同じプレイリスト群内においては、プレイリスト順位それぞれにユニークな数値を用いる。
【００３３】
図５は、プレイリスト群格納部６３に格納されたプレイリスト群の一例を示す図である。
【００３４】
図５では、プレイリスト群ＩＤと、イメージＩＤにより識別されるイメージファイルと、プレイリスト順位と、プレイリストＩＤとを格納した様子を示している。例えば、プレイリスト群ＩＤがＧ１のプレイリスト群には、イメージＩＤが“Ｉｍａｇｅ０１.ｊｐｇ”のイメージファイルが、プレイリスト順位１のプレイリストＩＤには“Ｐ１”、プレイリスト順位２のプレイリストＩＤには“Ｐ２”、プレイリスト順位３のプレイリストＩＤには“Ｐ３”の３つが、それぞれ格納されている。
【００３５】
コンテンツ格納部６４は、コンテンツのデジタルデータ本体を格納する。コンテンツ格納部６４には、デジタルデータと、コンテンツＩＤとを格納する。コンテンツＩＤとは、それぞれのデジタルデータを一意に識別するための識別子である。
【００３６】
メタデータ格納部６５は、コンテンツ格納部６４に格納された各コンテンツに対応するメタデータを格納する。メタデータとは、コンテンツのタイトルや、コンテンツの作成日、コンテンツの雰囲気、コンテンツのジャンル等の、コンテンツに対する副次的な情報のことである。
【００３７】
図６は、メタデータ格納部６５に格納されるメタデータの一例を示す図である。
【００３８】
図６の例では、メタデータ格納部６５は、コンテンツＩＤに対応するメタデータとして、タイトル、作成日、雰囲気、ジャンルを格納した状態を示している。例えば、コンテンツＩＤがＣ１のコンテンツのタイトルは“Ｃｏｎｔｅｎｔ１”であり、作成日は“２０００−０１−０１”であり、雰囲気は“楽しい”であり、ジャンルは“ダンス”である。
【００３９】
続いて、本装置の動作を説明する。
【００４０】
まず、入力補助部４１は、プレイリスト群の設定情報として、プレイリスト属性と、イメージファイルとをユーザに設定させる。ユーザは、入力装置１０を用いてこれらの設定を行う。プレイリスト属性の設定は、ユーザが直接入力しても良いが、ここでは、メタデータ格納部６５に格納されたメタデータをプレイリスト属性として使用する。例えば後述する図７に示す入力補助画面７００の選択候補属性リスト７１０のようにリスト化して表示し、その選択候補属性リスト７１０からユーザに選択させる。イメージファイルは、イメージファイル格納部６１に格納された静止画や動画像等のイメージファイルを、後述する図８に示すイメージファイル設定画面８００を参照させてユーザに選択させる。
【００４１】
図７は、入力補助部４１が表示装置２０に表示する入力補助画面７００の一例を示す図である。
【００４２】
図７に示す入力補助画面７００において、選択候補属性リスト７１０は、“７０年代”や、“８０年代”、“激しい”、“穏やか”、“ダンス”、“結婚式”、“日本“などの設定可能なプレイリスト属性をメタデータ格納部６５に格納されたメタデータを読み出して一覧表示したものである。プレイリスト属性の選択は、例えば、ユーザがマウス等の入力装置１０を用いて、選択候補属性リスト７１０の中から所望のプレイリスト属性にカーソル７４０を合わせて選択することにより行う。選択されたプレイリスト属性は、選択済み属性リスト７２０に追加される。設定を完了する場合は、設定終了ボタン７５０を選択する。
【００４３】
イメージファイルの設定は、後述するイメージファイル設定画面８００を呼び出して行う。例えば、イメージファイルプレビュー７３０にカーソル７４０を合わせ、マウス等の入力装置１０を左クリックすることにより、イメージファイル設定画面８００を呼び出すようにする。イメージファイル設定画面８００は、イメージファイル格納部６１に格納されたイメージファイルを、サムネイルとともに一覧表示し、ユーザがその中から直接選択する。
【００４４】
図８は、イメージファイル設定画面８００の一例を示す図である。
【００４５】
図８に示すように、イメージファイル設定画面８００において、ユーザがカーソル８４０を操作すると、カーソル８４０の位置によって、どのイメージファイルがポイントされているかを示す選択枠８５０が移動する。ここで、例えば、マウス等の入力装置１０が左クリックされると、選択枠８５０の指し示すイメージファイルが選択され、図７に示す入力補助画面７００の画面に戻る。イメージファイル設定画面８００で設定された新しいイメージファイルが、図７に示す入力補助画面７００のイメージファイルプレビュー７３０に表示される。
【００４６】
イメージファイルの設定を終えると、入力補助部４１は、ユーザにより設定されたプレイリスト属性と、設定したイメージファイルのイメージＩＤとをプレイリスト作成部４２に渡し、プレイリストを作成させる。
【００４７】
プレイリスト作成部４２は、入力補助部４１から受け取ったプレイリスト属性等を基にプレイリストを作成する。
【００４８】
図９は、プレイリスト作成部４２の動作を示すフローチャートである。
【００４９】
まず、プレイリスト作成部４２は、取得したプレイリスト属性の中から、未処理のプレイリスト属性をひとつ選択し、前記選択したプレイリスト属性と同様の属性を有するコンテンツＩＤを、メタデータ格納部６５を参照して全て取得する（Ｓ９１０）。例えば、”穏やか”というプレイリスト属性を選択した場合、メタデータ格納部６５を参照して、”穏やか”という属性を有するコンテンツのコンテンツＩＤを全て取得する。尚、取得する数は、見つかった全てのコンテンツＩＤを対象にするのではなく、予め閾値を定め、その閾値を超えない数だけ取得するようにしても良い。
【００５０】
次に、プレイリスト作成部４２は、取得したコンテンツＩＤ、プレイリストＩＤおよびプレイリストタイトルを、プレイリスト格納部４２に格納する（Ｓ９２０）。プレイリストＩＤは、プレイリスト格納部４２に格納されたプレイリストの中で、重複しないプレイリストＩＤを作成して設定する。プレイリストタイトルには、選択したプレイリスト属性名を用いる。また、取得したコンテンツＩＤに対し、コンテンツ順位を、発見された順に１から割り振り、プレイリスト格納部４２に割り振ったコンテンツ順位を格納する。
【００５１】
次に、プレイリスト作成部４２は、入力補助部１０３１から受け取ったプレイリスト属性について、まだプレイリストを作成していないプレイリスト属性が存在するかどうかを判断する（Ｓ９３０）。まだプレイリストを作成していないプレイリスト属性が存在するならば、ステップＳ２２１に戻って処理を繰り返す。全てのプレイリスト属性についてプレイリストを作成したならば、プレイリスト作成部４２はプレイリスト処理を終了する。
【００５２】
プレイリスト作成部４２は、プレイリスト処理を終了すると、作成した全てのプレイリストＩＤと、入力補助部４１から受け取ったイメージＩＤとをプレイリスト群作成部４３に渡し、プレイリスト群を作成させる。以上がプレイリスト作成部４２の動作である。
【００５３】
プレイリスト群作成部４３は、プレイリスト群の設定情報を作成し、プレイリスト群格納部６３にその設定情報を格納する。つまり、プレイリスト群作成部４３は、まず、プレイリスト群格納部６３を参照し、他のプレイリスト群のプレイリスト群ＩＤと重複しないプレイリスト群ＩＤを作成する。そして、プレイリスト作成部４２で作成されたプレイリストＩＤと、入力補助部４１で設定されたイメージファイルのイメージＩＤと、作成したプレイリスト群ＩＤとをプレイリスト群格納部６３に格納する。また、プレイリストＩＤを格納する際、格納された順番に順位を設定する。順位は自然数の連番で、同一プレイリスト群内においては、ユニークな数字を用いる。
【００５４】
続いて、図１を参照してプレイリスト再生制御部５０の動作を説明する。
【００５５】
プレイリスト再生制御部５０は、再生画面描画部５１と、プレイリスト群変更部５２と、プレイリスト変更部５３と、再生コンテンツ選出部５４とを有する。
【００５６】
プレイリスト再生制御部５０は、不図示のＣＰＵやメモリを備えており、メモリ上に展開されたプレイリスト作成用プログラムをＣＰＵが実行することにより、プレイリスト再生制御部５０全体を制御する。
【００５７】
再生画面描画部５１は、プレイリスト再生中の画面イメージの描画を行う。描画する情報は、コンテンツの映像、プレイリスト群のイメージファイル、カレントプレイリストの有するコンテンツのタイトル、コンテンツ再生時間、コンテンツのメタデータ情報などである。これらの情報は、イメージファイル格納部６１と、プレイリスト格納部６２と、プレイリスト群格納部６３と、メタデータ格納部６５とから各データを取得する。また、カレントプレイリストやカレントプレイリスト群を変更するためのボタンも描画する。再生画面描画部５１は、描画した画面イメージを、表示装置２０に表示させる。
【００５８】
図１０は、再生画面描画部５１が表示装置２０に表示するプレイリスト再生画面１０００の一例を示す図である。
【００５９】
図１０に示すプレイリスト再生画面１０００において、映像表示領域１０７０は、コンテンツが映像情報を有する場合に、再生中のコンテンツの映像を表示する領域である。再生情報表示領域１０１０は、現在再生中のコンテンツのメタデータ情報や、再生時間などを表示する領域である。イメージファイル表示領域１０２０は、現在選択しているプレイリスト群であるカレントプレイリスト群に設定されているイメージファイルを表示する領域である。再生コンテンツリスト１０３０は、現在選択しているプレイリストであるカレントプレイリストに属するコンテンツのタイトルを、一覧表示する領域である。“Content1”や“Content2”等のコンテンツのタイトルは、例えば、カレントプレイリストのコンテンツＩＤを基にメタデータ格納部６５から取得する。
【００６０】
また、図１０に示すプレイリスト再生画面１０００において、プレイリスト群変更ボタン１０４０は、現在選択しているプレイリスト群を変更するためのボタン、プレイリスト変更ボタン１０５０,１０６０は、現在選択しているプレイリストを変更するためのボタンである。ユーザがプレイリスト群変更ボタン１０４０を選択すると、プレイリスト群変更部５２は現在選択しているプレイリスト群を変更し、プレイリスト変更ボタン１０５０,１０６０が選択されると、プレイリスト変更部５３は現在選択しているプレイリストを変更する。
【００６１】
ここで、プレイリスト群変更部５２によるカレントプレイリスト群の変更は、プレイリスト群格納部６３に格納されたプレイリスト群を一覧表示して、ユーザが直接指定する方法や、プレイリスト群をランダムに変更する方法、プレイリスト群をプレイリスト群ＩＤ順に並べ、カレントプレイリスト群の、次のプレイリスト群に変更する方法などがある。
【００６２】
図１１は、ユーザにプレイリスト群を一覧から直接させるために表示装置２０に表示したプレイリスト群１１００の一例を示す図である。
【００６３】
図１１では、２つのプレイリスト群１１１０，１１２０が表示されている。プレイリスト群１１１０，１１２０にはそれぞれ、“ダンス”、“００年代”、“穏やか”、“結婚式”等の一または複数のプレイリスト属性が設定されていると共に、イメージファイルも設定されている。ユーザは、入力装置１０を用いて、変更したいプレイリスト群を選択する。カレントプレイリスト群変更後、プレイリスト群変更部５２は、プレイリスト変更部５３に処理を渡して、カレントプレイリストを新たに設定させる。
【００６４】
プレイリスト変更部５３は、現在選択されているプレイリスト群であるカレントプレイリスト群に属するプレイリストから、予め決められた順番に従って、新しいカレントプレイリストを選択する。プレイリストの順番としては、例えば、プレイリスト群格納部６３に格納されたプレイリストの順位を用いる。例えば、現在設定されているプレイリスト順位を２とする場合に、プレイリスト変更ボタン１０５０が選択されると、カレントプレイリストの前の順位、つまりプレイリスト順位が１であるプレイリストを選択する。プレイリスト変更ボタン１０６０が選択された場合は、カレントプレイリストの次の順位、つまりプレイリスト順位が３であるプレイリストを選択する。
【００６５】
プレイリスト変更部５３は、カレントプレイリスト変更後、再生コンテンツ選出部５４に処理を渡して、再生するコンテンツを選出させる。プレイリストの順番を使わずに、カレントプレイリスト群に属するプレイリストからランダムに選択する方法をとっても良い。
【００６６】
再生コンテンツ選出部５４は、カレントプレイリストに属するコンテンツＩＤから、再生するコンテンツを選出する。再生するコンテンツの選択方法は、コンテンツ順位に従って選択したり、再生の順番をランダムに入れ替えて再生する方法をとっても良い。
【００６７】
図１２は、プレイリスト再生制御部５０の動作を示すフローチャートである。以下、プレイリスト再生制御部５０の動作について説明する。
【００６８】
まず、プレイリスト再生制御部５０は、プレイリスト格納部６２と、プレイリスト群格納部６３とを参照して、カレントプレイリスト群と、カレントプレイリストとの初期値を設定する（Ｓ１２１０）。つまり、プレイリスト再生制御部５０は、まず、カレントプレイリスト群を設定してから、カレントプレイリスト群に属するプレイリストの中から、１つプレイリストを選び出し、カレントプレイリストとして選択する。プレイリスト群、及びプレイリストの選択方法は、前回終了時に、最後に選択されていたプレイリスト群、及びプレイリストを設定しても良いし、カレントプレイリスト群をランダムに選択した後、カレントプレイリスト群に属するプレイリストをさらにランダムに選択しても良い。
【００６９】
次に、再生コンテンツ選出部５４は、カレントプレイリストに属するコンテンツから、再生するコンテンツをひとつ選び出し（Ｓ１２２０）、再生画面描画部５１へ送出する。
【００７０】
すると、再生画面描画部５１は、選出されたコンテンツを基に再生画面の描画を行い、表示装置２０に表示させる（Ｓ１２３０）。
【００７１】
ここで、プレイリスト再生制御部５０は、ユーザよりコマンド入力を受け付ける（Ｓ１２４０）。コマンドの種類としては、カレントプレイリストを変更するコマンドや、カレントプレイリスト群を変更するコマンドの他、コンテンツ再生装置１を終了させるコマンドなどがある。図１０の例では、カレントプレイリストを変更するコマンドの入力は、プレイリスト変更ボタン１０５０,１０６０が選択された場合であり、カレントプレイリスト群を変更するコマンドは、プレイリスト群変更ボタン２４０が選択された場合である。終了コマンドは、例えば、コンテンツ再生装置１本体に具備された電源ボタン（図示せず）が押された場合などに発行される。
【００７２】
コマンド入力があると、プレイリスト再生制御部５０は、入力コマンドが終了コマンドであるか否かを判断する（Ｓ１２５０）。もし、入力コマンドが終了コマンドならば（Ｓ１２５０“ＹＥＳ”）、プレイリスト再生制御部５０は、処理を終了する。入力コマンドが終了コマンドでなければ（Ｓ１２５０“ＮＯ”）、ステップＳ１２６０に進み、プレイリスト群・プレイリスト変更処理を行う。
【００７３】
プレイリスト群・プレイリスト変更処理では、入力コマンドに従って、プレイリスト変更部５３やプレイリスト群変更部５２が、カレントプレイリストやカレントプレイリスト群の変更を行う（Ｓ１２６０）。
【００７４】
図１３は、図１２のＳ１２６０のプレイリスト群・プレイリスト変更処理の動作を詳細に示すフローチャートである。
【００７５】
つまり、図１２のＳ１２６０のプレイリスト群・プレイリスト変更処理では、プレイリスト再生制御部５０は、入力コマンドが、プレイリスト変更ボタン２５０をユーザが選択したときに入力するプレイリスト変更コマンドであるか否かを判断する（Ｓ１２６１）。
【００７６】
ここで、プレイリスト変更コマンドが入力したと判断した場合（Ｓ１２６１“ＹＥＳ”）、プレイリスト変更部５３は、現在再生に使用してるプレイリストであるカレントプレイリストを変更する（Ｓ１２６２）。なお、カレントプレイリストの変更後、ステップＳ１２２０に戻り、コンテンツの再生を行う。
【００７７】
これに対し、入力コマンドがプレイリスト変更コマンドでないと判断した場合（Ｓ１２６１“ＮＯ”）、プレイリスト再生制御部５０は、さらに、入力コマンドが、ユーザがプレイリスト群変更ボタン２４０を選択したときに入力されるプレイリスト群変更コマンドであるか否かを判断する（Ｓ１２６３）。
【００７８】
ここで、入力コマンドがプレイリスト群変更コマンドが入力されたと判断すると（Ｓ１２６３“ＹＥＳ”）、プレイリスト群変更部５２は、プレイリスト群を変更する（Ｓ１２６４）。そして、カレントプレイリスト群変更後、新しいカレントプレイリスト群に従って、プレイリスト変更部５３は、カレントプレイリストを変更する。以上が、プレイリスト再生制御部５０の動作の説明である。
【００７９】
以上のように、実施形態１のコンテンツ再生装置１によれば、再生中のコンテンツの印象を、大きく印象を変更したい場合はプレイリスト群を変更、小さく印象を変更したい場合はプレイリスト群内のプレイリストを変更、という２つの変更方法を提供することによって、ユーザは、視聴時の気分に応じて、プレイリスト群やプレイリストを切り替えて様々な印象のコンテンツを直感的かつ容易に切り替えることができる。
【００８０】
特に、本実施形態１では、プレイリスト群に静止画や動画像等のイメージファイルを設定して表示するようにしたので、プレイリスト群が、全体的にどのような印象であるか、どのようなプレイリストを有するのか等を、直感的かつ容易に理解することができる。
【００８１】
なお、実施形態１では、プレイリスト作成制御部４０と、プレイリスト再生制御部５０とが分かれて構成されているが、ひとつの構成でも勿論良い。
【００８２】
また、データ格納部６０は、外部装置であっても、ネットワーク上のサーバなどに設けるようにしても良い。
【００８３】
また、本実施形態では、指定されたプレイリスト属性に従って、プレイリストをプレイリスト作成制御部４０が作成したが、ユーザ自身がコンテンツＩＤを選ぶことによって作成しても良い。
【００８４】
また、入力補助部４１において、設定可能なプレイリスト属性の一覧は、予め設計者側が設定しておいても良い。
【００８５】
また、入力補助部４１がプレイリスト群の情報設定をユーザに行わせる際に、プレイリスト属性を選択させるのではなく、既に作成されたプレイリストを選択させるようにしても良い。
【００８６】
実施形態２．
【００８７】
次に、本発明の実施形態２のコンテンツ再生装置２について説明する。実施形態１では、プレイリスト群を作成する際、プレイリスト群に設定するプレイリスト属性とイメージファイルとの両方を、ユーザが手動で設定したが、実施形態２では、プレイリスト属性をユーザが指定すると、プレイリスト属性に最適なメージファイルを、コンテンツ再生装置２が選択するものである。
【００８８】
図１４は、本発明の実施形態２に係るコンテンツ再生装置２の構成の一例を示すブロック図である。
【００８９】
図１４に示すように、実施形態２のコンテンツ再生装置２は、図１に示したコンテンツ再生装置１のデータ格納部６０と、プレイリスト作成制御部４０との構成が異なる。つまり、実施形態２のコンテンツ再生装置２は、図１に示す実施形態１のデータ格納部６０に、イメージワード格納部６６を追加し、プレイリスト作成制御部４０に、イメージファイル選出部４４を追加したものである。また、入力補助部の動作が異なるため、本実施形態では、入力補助部４１Ａとする。
【００９０】
イメージワード格納部６６は、イメージファイル格納部６１に格納されたイメージファイルに対応するイメージワードを格納するものである。イメージワードとは、対応するイメージファイルを表現する言葉、概念、用語である。例えば、“場所”、“季節”、“雰囲気”を表す言葉などがイメージワードである。
【００９１】
図１５は、イメージワード格納部６６に格納されるイメージワードの一例を示す図である。
【００９２】
図１５において、イメージＩＤが“Ｉｍａｇｅ０１．ｊｐｇ”のイメージファイルに対応付けられたイメージワードとして、“ダンス”、“テクノ”、“スタイリッシュ”、“洗練”、“都会的”が格納された様子を示している。
【００９３】
イメージファイル選出部４４は、ユーザによって設定されたプレイリスト属性と、イメージワード格納部６６に格納された各イメージワードとの一致度を算出し、算出した一致度が最も高いイメージワードのイメージＩＤを選択し、選択したイメージＩＤに対応するイメージファイルをイメージファイル格納部６１から選出するものである。また、入力補助部４１Ａは、ユーザに、新しく作成するプレイリスト群のためのプレイリスト属性を選択させるものである。
【００９４】
次に、実施形態２にて新たに追加されたイメージワード格納部６６およびイメージファイル選出部４４と入力補助部４１Ａとの動作を中心に説明する。
【００９５】
図１６は、コンテンツ再生装置２におけるプレイリスト作成制御部４０の動作を示すフローチャートである。
【００９６】
まず、入力補助部４１Ａは、後述する入力補助画面１７００を表示装置２０に表示して、ユーザからプレイリスト群に設定するプレイリスト属性の入力を受け付ける（Ｓ１６００）。
【００９７】
図１７は、入力補助部４１Ａが表示装置２０に表示する入力補助画面１７００の一例を示す図である。
【００９８】
図１７において、入力補助画面１７００には、選択候補属性リスト１７１０と、選択済み属性リスト１７２０と、カーソル１７４０と、設定終了ボタン１７５０とが設けられており、これらは図７に示した入力補助画面７００と同様である。ユーザが、入力装置１０を介してイメージファイル設定ボタン１７６０を選択すると、選択済み属性リスト１７２０に設定されたプレイリスト属性をイメージファイル選出部４４に渡す。
【００９９】
次に、イメージファイル選出部４４は、ユーザにより設定されたプレイリスト属性を基にイメージファイルを選出する（Ｓ１６１０）。
【０１００】
つまり、イメージファイル選出部４４は、ユーザによって設定されたプレイリスト属性に従って、イメージファイル格納部６１からイメージファイルを選出する。イメージファイルの選出は、設定されたプレイリスト属性と、イメージファイルとの一致度を算出することによって行う。イメージファイルの選出処理は、まず、あるイメージＩＤに対応するイメージワードを、イメージワード格納部６６から取得する。次に、イメージファイル選出部４４は、入力補助部４１Ａによって設定されたプレイリスト属性と、イメージワード格納部６６から取得したイメージワードとの間で、一致するワードの数を算出し、これを一致度とする。次に、イメージファイル選出部４４は、この一致度算出の処理を、全てのイメージＩＤについて行う。全てのイメージＩＤについて一致度を算出した後、前記算出した一致度が、最も大きいイメージＩＤのイメージファイルを、プレイリスト群のイメージファイルとして設定する。
【０１０１】
次に、プレイリスト作成部４２は、Ｓ１６００で設定されたプレイリスト群の設定情報を基に、プレイリストを作成する（Ｓ１６２０）。この処理は、図２に示したコンテンツ再生装置１のＳ２１０と同様である。
【０１０２】
次に、プレイリスト群作成部４３は、Ｓ１６１０で選出したイメージファイルのイメージＩＤと、Ｓ１６２０で作成されたプレイリストの情報を基にプレイリスト群を作成する（Ｓ１６３０）。この処理は、図２に示したコンテンツ再生装置１のＳ２２０と同様である。以上が、実施形態２のコンテンツ再生装置２におけるプレイリスト作成制御部４０の動作であり、それ以外のプレイリスト再生動作等は実施形態１と同様である。
【０１０３】
以上のように、実施形態２のコンテンツ再生装置２によれば、実施形態１の構成に加え、イメージファイル選出部４４とイメージワード格納部６６とを設け、イメージファイル選出部４４はユーザによって設定されたプレイリスト属性と、イメージワード格納部６６に格納されたイメージワードとの間で一致度を求め、一致度が最も大きいイメージＩＤのイメージファイルをプレイリスト群のイメージファイルとして設定するようにしたので、実施形態１の効果に加え、ユーザはプレイリスト属性を設定するだけで、プレイリスト群に合ったイメージファイルが自動的に設定されることになり、イメージファイルの設定の手間を少なくすることができる。
【０１０４】
特に、実施形態２のコンテンツ再生装置２では、ユーザがプレイリスト属性を指定すると、指定したプレイリスト属性に適合した、プレイリスト群の全体の雰囲気を表すイメージファイルが選択され、そのプレイリスト群に設定されるので、プレイリスト群の変更の際、ユーザはプレイリスト群に設定されたイメージファイルも参照することができ、容易にプレイリスト群の内容を判断することができる。
【０１０５】
実施形態３．
実施形態１では、プレイリスト群を作成する際、プレイリスト群に設定するプレイリスト属性と、イメージファイルとを、ユーザが手動で設定したが、実施形態３では、イメージファイルをユーザが指定すると、イメージファイルに適するプレイリスト属性を、コンテンツ再生装置３が選択するものである。
【０１０６】
図１８は、本発明の実施形態３に係るコンテンツ再生装置３の構成の一例を示すブロック図である。
図１８に示すように、実施形態３のコンテンツ再生装置３は、図１に示したコンテンツ再生装置１のデータ格納部６０と、プレイリスト作成制御部４０との構成が異なる。つまり、実施形態３のコンテンツ再生装置２は、図１に示す実施形態１のデータ格納部６０に、イメージワード格納部６６を追加し、プレイリスト作成制御部４０に、プレイリスト属性選出部４５を追加したものである。また、入力補助部の動作が異なるため、本実施形態では、入力補助部４１Ｂとする。
【０１０７】
イメージワード格納部６６は、実施形態２におけるコンテンツ再生装置２のイメージワード格納部６６と同様で、図１５に示すようなイメージワードを格納したものである。
【０１０８】
プレイリスト属性選出部４５は、ユーザによって設定されたイメージファイルのイメージＩＤを基に、イメージワード格納部６６から対応するイメージワードを取得し、取得したイメージワードと一致するメタデータをメタデータ格納部６５から読み出しプレイリスト属性として選出するものである。
【０１０９】
入力補助部４１Ｂは、新しく作成するプレイリスト属性の雰囲気に最も合致するイメージファイルをユーザに選択させるもので、後述する入力補助画面２１００を表示部２０に表示してイメージファイルを選択させるものである。
【０１１０】
次に、実施形態３にて新たに追加されたイメージワード格納部６６およびプレイリスト属性選出部４５と、入力補助部４１Ｂの動作を中心に説明する。
【０１１１】
図１９は、コンテンツ再生装置３におけるプレイリスト作成制御部４０の動作を示すフローチャートである。
【０１１２】
まず、入力補助部４１Ｂは、後述する入力補助画面２０００を表示装置２０に表示して、ユーザからプレイリスト群に設定するイメージファイルの選択を受け付ける（Ｓ１９００）。
【０１１３】
図２０は、入力補助部４１Ｂが表示部２０に表示する入力補助画面２０００の一例を示す図である。
【０１１４】
図２０に示す入力補助画面２１００と、イメージファイルプレビュー２１２０と、カーソル２１４０と、設定終了ボタン２１５０とは、図７における入力補助画面７００と同様である。イメージファイルの設定方法も、実施形態１における入力補助画面７００と同様に、イメージファイルプレビュー２１２０を選択することで、図８に示したイメージファイル設定画面８００を呼び出して、ユーザに設定させる。入力補助画面２１００においてプレイリスト属性選択ボタン２１１０を押すと、イメージファイルプレビュー２１２０に設定されたイメージファイルのイメージＩＤがプレイリスト属性選出部４５に渡され、そのイメージファイルに適合するプレイリスト属性が設定される。
【０１１５】
次に、プレイリスト属性選出部４５は、Ｓ１９００で設定されたイメージファイルを基に、プレイリスト属性を選出する（Ｓ１９１０）。
【０１１６】
具体的には、プレイリスト属性選出部４５は、ユーザによって設定されたイメージファイルのイメージＩＤを基に、イメージワード格納部６６を参照して、イメージワードを取得する。次に、データ格納部６０のメタデータ格納部６５に格納されたメタデータを一覧化する。次に、そのメタデータ一覧の中で、取得したイメージワードと一致するメタデータを選び出し、選び出したメタデータをプレイリスト属性として、プレイリスト作成部４２に渡す。
【０１１７】
次に、プレイリスト作成部４２は、Ｓ１９２０で設定されたプレイリスト属性を基にプレイリストを作成する（Ｓ１９３０）。この処理は、図２に示したコンテンツ再生装置１のＳ２１０と同様である。
【０１１８】
次に、プレイリスト群作成部４３は、Ｓ１９００で選択されたイメージファイルのイメージＩＤと、Ｓ１９３０で作成されたプレイリストの情報を基にプレイリスト群を作成する（Ｓ１９３０）。この処理は、図２に示したコンテンツ再生装置１のＳ２２０と同様であり、それ以外のプレイリスト再生動作等は実施形態１，２と同様である。
【０１１９】
以上のように、実施形態３のコンテンツ再生装置３によれば、実施形態１の構成に加え、プレイリスト属性検出部４５とイメージワード格納部６６とを設け、プレイリスト属性選出部４５は、ユーザによって設定されたイメージファイルのイメージＩＤを基にイメージワード格納部６６からイメージワードを取得し、メタデータ格納部６５に格納されたメタデータのうちでそのイメージワードと一致するメタデータを選出し、選び出したメタデータをプレイリスト属性として設定するようにしたので、実施形態１の効果に加え、ユーザは作成したいプレイリスト群に合うイメージファイルを設定するだけで、イメージファイルに合ったプレイリスト属性を自動的に選択可能であり、プレイリスト属性の設定の手間を少なくすることができる。
【０１２０】
特に、実施形態３のコンテンツ再生装置３では、ユーザがイメージファイルを選択すると、選択したイメージファイルに適合したプレイリスト属性が自動的に選択され、プレイリスト群に設定されるので、プレイリスト群の変更の際、ユーザはプレイリスト群に設定されたプレイリスト属性も参照することでき、容易にプレイリスト群の内容を判断することができる。
【０１２１】
実施形態４．
実施形態２では、ユーザが指定したプレイリスト属性に適合したイメージファイルを自動的に選択したが、実施形態４では、さらに、ユーザが指定したプレイリスト属性の類語をシソーラス辞書から選出して、より高精度なイメージファイルの選択を行うものである。
【０１２２】
図２１は、本発明の実施形態４に係るコンテンツ再生装置４の構成の一例を示すブロック図である。
【０１２３】
図２１に示すように、実施形態４のコンテンツ再生装置４は、図１４に示したコンテンツ再生装置２のプレイリストデータ格納部６０の構成が異なる。つまり、実施形態４のコンテンツ再生装置４は、図１４に示す実施形態２のデータ格納部６０に、シソーラス辞書格納部６７を追加したものである。また、イメージファイル選出部の動作が異なるため、実施形態４では、イメージファイル選出部４４Ａとする。それ以外の部分は、実施形態２のプレイリスト作成装置２と同様である。
【０１２４】
シソーラス辞書格納部６７は、シソーラス辞書を格納するものである。シソーラスとは、類語のことであり、シソーラス辞書とは、類語を収録した辞書のことである。例えば、“私”の類語には、“僕”、”我”、“小生”、“拙者”などが存在し、シソーラス辞書格納部６７には、これらの類語を網羅的に格納する。
【０１２５】
次に動作を説明すると、イメージファイル選出部４４Ａは、入力補助部４１Ａを介しユーザによって設定されたプレイリスト属性に従って、イメージファイル格納部６１から、イメージファイルを選出する。
【０１２６】
図２２は、イメージファイル選出部４４Ａの動作を示すフローチャートである。
【０１２７】
まず、イメージファイル選出部４４Ａは、ユーザにより設定されたプレイリスト属性全てについて、シソーラス辞書格納部６７から類語を取得する（Ｓ２２００）。類語はできるだけ多く取得することが望ましい。
【０１２８】
次に、イメージファイル選出部４４Ａは、取得した類語を基にイメージファイルとの一致度を算出する（Ｓ２２１０）。一致度の算出は、あるイメージＩＤに対応するイメージワードを、イメージワード格納部６６から取得し、取得した複数の類語と、一致するイメージワードの数を計上する。類語と一致したイメージワードの数が、イメージＩＤの一致度となる。この一致度算出の処理を、全てのイメージＩＤについて行う。
【０１２９】
次に、イメージファイル選出部４４Ａは、算出した一致度が最も大きいイメージＩＤのイメージファイルを選出する（Ｓ２２２０）。以上がイメージファイル選出部４４Ａの説明である。なお、その他の部については、実施形態２のコンテンツ再生装置２と同様である。
【０１３０】
以上のように、実施形態４のコンテンツ再生装置４によれば、実施形態２の構成に加え、シソーラス辞書格納部６７を設け、イメージファイル選出部４４Ａは、入力補助部４１Ａを介しユーザによって設定されたプレイリスト属性全てについて、シソーラス辞書格納部６７を参照して類語を取得し、取得した類語を基にイメージファイルとの一致度を算出し、この算出した一致度が最も大きいイメージＩＤのイメージファイルを選出するようにしたので、実施形態２の場合より、よりプレイリスト群にマッチしたイメージファイルを選出することができる。
【０１３１】
実施形態５．
実施形態３では、ユーザが指定したイメージファイルに対応するイメージワードを基にプレイリスト群のプレイリスト属性を選択したが、実施形態５では、さらに、イメージワードについての類語を用いることによって、より高精度なプレイリスト属性の選択を行うものである。
【０１３２】
図２３は、本発明の実施形態５に係るコンテンツ再生装置５の構成の一例を示すブロック図である。
【０１３３】
図２３に示すように、実施形態５のコンテンツ再生装置５は、図１８に示したコンテンツ再生装置３のプレイリストデータ格納部６０の構成が異なる。つまり、実施形態４のコンテンツ再生装置４は、図１８に示す実施形態３のデータ格納部６０に、シソーラス辞書格納部６７を追加したものである。また、プレイリスト属性選出部の動作が異なるため、本実施形態では、プレイリスト属性選出部４５Ａとする。それ以外の部分は、実施形態３のプレイリスト作成装置３と同様である。また、シソーラス辞書格納部６７は、実施形態４におけるコンテンツ再生装置４のシソーラス辞書格納部６７と同様であるため、説明を省略する。
【０１３４】
次に動作を説明すると、プレイリスト属性選出部４５Ａは、ユーザによって入力補助部４１Ｂを介し設定されたイメージファイルに従ってプレイリスト群のプレイリスト属性を設定する。
【０１３５】
図２４は、プレイリスト属性選出部４５Ａの動作を示すフローチャートである。
【０１３６】
まず、プレイリスト属性選出部４５Ａは、ユーザによって指定されたイメージファイルのイメージＩＤを基に、イメージワード格納部６４からイメージワードを取得する（Ｓ２４００）。
【０１３７】
次に、プレイリスト属性選出部４５Ａは、取得したイメージワードの類語をシソーラス辞書格納部６７から取得する（Ｓ２４１０）。
【０１３８】
次に、プレイリスト属性選出部４５Ａは、メタデータ格納部１１２２に格納されたユニークなメタデータを一覧化して取得する（Ｓ２４２０）。
【０１３９】
そして、プレイリスト属性選出部４５は、Ｓ２４１０で取得した類語と、Ｓ２４２０で取得したメタデータの一覧との比較を行い、類語とメタデータとの間で一致するものを、プレイリスト属性として設定する（Ｓ２４３０）。以上がプレイリスト属性選出部４５Ａの説明である。その他の部については、実施形態３におけるプレイリスト作成装置３と同様である。
【０１４０】
以上のように、実施形態５のコンテンツ再生装置５によれば、実施形態３の構成に加え、シソーラス辞書格納部６７を設け、プレイリスト属性選出部４５Ａは、入力補助部４１Ｂを介しユーザによって設定されたイメージファイルのイメージＩＤを基にイメージワード格納部６４からイメージワードを取得し、取得したイメージワードの類語をシソーラス辞書格納部６７から取得し、取得した類語とメタデータとを比較し、類語とメタデータとの間で一致するものをプレイリスト属性として設定するようにしたので、実施形態３の場合より、よりイメージファイルにマッチしたプレイリスト属性を選出することができる。
【産業上の利用可能性】
【０１４１】
本発明のコンテンツ再生装置、コンテンツ再生方法およびコンピュータプログラムは、複数のプレイリストをグループ化し、イメージファイルを設定したプレイリスト群を用意し、再生中のコンテンツの印象を、大きく印象を変更したい場合はプレイリスト群を変更し、小さく印象を変更したい場合はプレイリスト群内のプレイリストをという２つの変更方法が可能となるので、音楽データや映像データのメディアプレーヤや、音楽データや映像データの再生機能を有する携帯電話、パソコンなどの再生装置や再生プログラムに組み込んだり、さらには、かかる再生機能を有さず、プレイリストを作成するサーバ装置やサーバ用プログラムの組み込みに産業上利用可能性がある。
【図面の簡単な説明】
【０１４２】
【図１】本発明の実施形態１に係るコンテンツ再生装置の構成を示すブロック図である。
【図２】プレイリスト作成制御部４０における動作を示すフローチャートである。
【図３】イメージファイル格納部６１に格納されたイメージファイルの一例を示す図である。
【図４】プレイリスト格納部６２に格納されたプレイリストの一例を示す図である。
【図５】プレイリスト群格納部１０２３に格納されたプレイリスト群の一例を示す図である。
【図６】メタデータ格納部６５の一例を示す図である。
【図７】入力補助部４１が提示する入力補助画面７００の一例を示す図である。
【図８】入力補助部４１が提示するイメージファイル設定画面８００の一例を示す図である。
【図９】プレイリスト作成部４２の動作を示すフローチャートである。
【図１０】再生画面描画部５１が作成するプレイリスト再生画面１０００の一例を示す図である。
【図１１】プレイリスト群変更部５２が提示するプレイリスト群選択変更画面９１０の一例を示す図である。
【図１２】実施形態２のプレイリスト再生制御部５０の動作を示すフローチャートである。
【図１３】実施形態２のプレイリスト変更処理の動作を示すフローチャートである。
【図１４】実施形態２のコンテンツ再生装置の構成を示すブロック図である。
【図１６】実施形態２のプレイリスト作成制御部４０における動作を示すフローチャートである。
【図１５】実施形態２のイメージワード格納部６６に格納されたイメージワードの一例を示す図である。
【図１７】実施形態２の入力補助部４１Ａが提示する入力補助画面９２０の一例を示す図である。
【図１８】実施形態３のコンテンツ再生装置の構成を示すブロック図である。
【図１９】実施形態３のプレイリスト群作成制御部４０における動作を示すフローチャートである。
【図２０】実施形態３の入力補助部４１Ｂが提示する入力補助画面２１００の一例を示す図である。
【図２１】実施形態４のコンテンツ再生装置の構成を示すブロック図である。
【図２２】イメージファイル選出部４４Ａの動作を示すフローチャートである。
【図２３】実施形態５のプレイリスト群作成装置の構成を示すブロック図である。
【図２４】プレイリスト属性選出部４５Ａの動作を示すフローチャートである。
【符号の説明】
【０１４３】
１，２  コンテンツ再生装置
１０  入力装置
２０  表示装置
３０  音響装置
４０  プレイリスト作成制御部
４１，４１Ａ，４１Ｂ  入力補助部
４２  プレイリスト作成部
４３  プレイリスト群作成部
５０  プレイリスト再生制御部
５１  再生画面描画部
５２  プレイリスト群変更部
５３  プレイリスト変更部
５４  再生コンテンツ選出部
６０  データ格納部
６１  プレイリスト群格納部
６２  プレイリスト格納部
６３  イメージファイル格納部
６４  コンテンツ格納部
６５  メタデータ格納部
６６  イメージワード格納部
６７  シソーラス辞書格納部
４４，４４Ａ  イメージファイル選出部
４５，４５Ａ  プレイリスト属性選出部
【図１】
2009238355.tif 000003
【図２】
2009238355.tif 000004
【図３】
2009238355.tif 000005
【図４】
2009238355.tif 000006
【図５】
2009238355.tif 000007
【図６】
2009238355.tif 000008
【図７】
2009238355.tif 000009
【図８】
2009238355.tif 000010
【図９】
2009238355.tif 000011
【図１０】
2009238355.tif 000012
【図１１】
2009238355.tif 000013
【図１２】
2009238355.tif 000014
【図１３】
2009238355.tif 000015
【図１４】
2009238355.tif 000016
【図１５】
2009238355.tif 000017
【図１６】
2009238355.tif 000018
【図１７】
2009238355.tif 000019
【図１８】
2009238355.tif 000020
【図１９】
2009238355.tif 000021
【図２０】
2009238355.tif 000022
【図２１】
2009238355.tif 000023
【図２２】
2009238355.tif 000024
【図２３】
2009238355.tif 000025
【図２４】
2009238355.tif 000026